(57)【要約】【課題】  低処理能力のＣＰＵでも画素の劣化を十分に補償でき、かつその消費電力を小さく維持できるＥＬディスプレイを提供する。【解決手段】  ＥＬパネル(1)は車のダッシュボード(DB)に置かれる。エアコン(AC)はダクト(D)を通し冷気(C)を車室内へ送る。断熱壁(4)はＥＬパネル(1)の裏面近傍の空間(S)を囲む。通風管(6)はダクト(D)からその空間(S)へ冷気(C)を導く。輝度計測部(8A)は光センサ(3)によりＥＬパネル(1)上の画素(1A)の輝度を測る。電流計測部(8B)は駆動部(2)を通しその画素(1A)の駆動電流を測る。温度計測部(8C)は温度センサ(5)によりＥＬパネル(1)の動作温度を測る。劣化情報決定部(9A)は各測定値に基づきＥＬパネル(1)上の画素の劣化を評価する。温度設定部(10)はその評価値に基づき、画素の劣化の進行に合わせ目標温度を上昇させる。流量調節部(11)は目標温度の上昇に応じ、流量制御弁(7)により通風管(6)内の冷気(C)の流量を絞る。【選択図】        図1
2005038760.tif 000002
【特許請求の範囲】
【請求項１】
発光物質を含む発光層と、その発光層を間に挟む電極と、を有する画素、を並置したＥＬパネル；及び、
外部から映像信号を受信し、その映像信号により指定される前記画素の輝度を解読し、その画素に対し、その輝度に対応する駆動電圧を印加し、又はその輝度に対応する駆動電流を供給するための駆動部；
を具備するＥＬディスプレイ、に対しそのＥＬパネルの動作温度を制御するための装置であり；
前記画素の劣化を評価し、その評価値に基づき前記ＥＬパネルの劣化情報を決定するための劣化評価部；
前記劣化情報に基づき、前記画素の劣化が激しいほど高い目標温度を設定するための温度設定部；及び、
前記目標温度に応じ、前記ＥＬパネルを加熱し又は冷却するための温度調節部；
を有する動作温度制御装置。
【請求項２】
前記劣化評価部が、
前記画素の輝度、駆動電圧、又は駆動電流の少なくとも二つを計測するための画素状態計測部；及び、
前記画素状態計測部による測定値に基づき前記劣化情報を決定するための劣化情報決定部；
を含む、請求項１記載の動作温度制御装置。
【請求項３】
前記劣化評価部が、
前記画素それぞれの通電時間又は通電電気量を前記映像信号に基づき計算し、その通電時間又は通電電気量を前記画素ごとに前記ＥＬディスプレイの製造時から累計するための通電管理部；及び、
前記通電時間又は前記通電電気量の累計に基づき前記劣化情報を決定するための劣化情報決定部；
を含む、請求項１記載の動作温度制御装置。
【請求項４】
前記温度調節部が、
前記ＥＬパネルに対しその外部から冷媒を導くための流路；及び、
前記流路中の前記冷媒の流量を調節するための流量調節部；
を含む、請求項１記載の動作温度制御装置。
【請求項５】
前記温度調節部が、前記ＥＬパネルを加熱するためのヒータ、を含む、請求項１記載の動作温度制御装置。
【請求項６】
前記ＥＬパネル、前記駆動部、及び前記動作温度制御装置、を具備する請求項１記載のＥＬディスプレイ。
【発明の詳細な説明】
【技術分野】
【０００１】
本発明は無機ＥＬ（Electroluminescence）ディスプレイ又は有機ＥＬディスプレイに関し、特にその表示パネルの温度制御に関する。
【背景技術】
【０００２】
ＥＬとは、「電圧の印加により発光する」という発光物質を利用した画像表示技術をいう。特に、発光物質が無機物であるものを無機ＥＬといい、有機物であるものを有機ＥＬという。ＥＬディスプレイはＥＬを利用した画像表示装置である。その表示パネル（ＥＬパネル）上には発光物質の層（発光層）を電極で挟んだ素子（発光素子）が並置される。ＥＬパネルの画素は一つ以上の発光素子を含む。ＥＬディスプレイは自発光型である。特に、有機ＥＬディスプレイは、高輝度、高コントラスト、広視野角、高い応答速度、極薄型、及び低消費電力という点で、液晶ディスプレイより有利である。
【０００３】
ＥＬディスプレイは主に小型の表示パネルとして、携帯電話を始めとするモバイル電子機器、例えば、ＡＶ機器、エアコン、電子レンジ、冷蔵庫、及び炊飯器等の家電機器に搭載される。その他に、車載ディスプレイに利用される。更に、照明、及びＴＶ等の大型パネルへの利用も期待される。
【０００４】
ディスプレイは一般にエリアカラー型とフルカラー型とに大別される。ＥＬディスプレイにも両型がある。
エリアカラーディスプレイは、比較的広い単色発光領域を一般に複数組み合わせたディスプレイである。それぞれの単色発光領域には、単色の画素が配置される。エリアカラーディスプレイは、例えば車載ディスプレイ又は家電機器の表示パネル等、比較的単純なパターンの表示に利用される。
フルカラーディスプレイは、カラーＴＶ受像器の画面と同様、赤（Ｒ)、緑（Ｇ)、青（Ｂ）の三原色の画素を画面上に並置したディスプレイであり、精細なカラー画像の表示に利用される。
【０００５】
フルカラーＥＬディスプレイでのカラー表示方式には例えば、三色発光方式、フィルタ方式、及び色変換方式がある。
三色発光方式では、三原色の画素の発光層が、赤色発光、緑色発光、青色発光の三種類の発光物質により別々に構成される。
フィルタ方式では、白色発光の発光物質により画素全体で共通の発光層が構成される。更に、その発光層の白色光が三原色のカラーフィルタで色づけされ、三原色の画素が構成される。
色変換方式では、青色発光の発光物質により画素全体で共通の発光層が構成される。更に、その発光層の青色光の一部が赤色蛍光膜又は緑色蛍光膜で赤色光又は緑色光に変換される。それらの変換光と発光層自体からの青色光とにより、三原色の画素が構成される。
【０００６】
ＥＬでは、発光層が経年変化により発光効率を下げ、すなわち劣化し、画素の輝度を低下させる。発光層の劣化による画素の輝度の低下を、以下、その画素の劣化という。画素の劣化が主に表示パネルの寿命を決める。
画素の劣化特性は発光層中の発光物質の種類ごとに、特にその発光の色ごとに大きく異なる。従って、三色発光方式によるフルカラーＥＬディスプレイでは特に輝度の低下傾向が画素の色ごとに大きく異なる。それ故、長期間の使用はディスプレイ全体の輝度を下げるだけでなく、そのホワイトバランスを大きく崩し、すなわち色ずれを引き起こす。
【０００７】
画素の劣化は主に、通電時間、通電電気量、及び、通電時の温度（動作温度）に依存する。通電時間と通電電気量とはフィルタ方式と色変換方式とでも画素の色ごとに一般に異なる。従って、フィルタ方式又は色変換方式によるフルカラーＥＬディスプレイでも、長期間の使用が色ずれを起こし得る。
【０００８】
従来のフルカラーディスプレイには、外部から入力される映像情報により指定される画素の輝度を以下のように変更し、画素の劣化を補償するものが知られる（特許文献１参照)。図5はそのフルカラーディスプレイの画素劣化補償システムを示すブロック図である。このシステムは外部から三原色（ＲＧＢ）の映像情報Ri、Gi、Biをパラレルに入力する。更に、表示パネルP上のＲＧＢそれぞれの画素の劣化特性に基づき映像情報Ri、Gi、Biにより指定される輝度を変更し、ホワイトバランスを調整する。輝度の変更により得られた新たな映像信号Ro、Go、Boが、表示パネルPへ送出される。
【０００９】
上記の画素劣化補償システムは、レベル監視部101R、101G、101B、ホワイトバランス調整部102、及び制御部103を含む。
レベル監視部101R、101G、101Bは、外部から入力されるＲＧＢそれぞれの映像情報Ri、Gi、Biを監視し、それぞれのレベルを検出する。
ホワイトバランス調整部102は、ＲＧＢそれぞれの映像情報Ri、Gi、Biの示す輝度をそれぞれ所定の割合だけ変更する。更に、輝度を変更された映像信号Ro、Go、Boを表示パネルPへパラレルに送出する。
【００１０】
制御部103は、レベル監視部101R、101G、101Bによるレベル検出をチェックする。それにより、表示パネルP上のＲＧＢの画素それぞれに対する映像情報Ri、Gi、Biについて、0より高いレベルが検出されるごとに、所定の表示率とフレーム周期との積をその画素の表示時間の累計に加算する。
ここで、画素の表示時間の累計とは、その画素が発光する時間（表示時間）を表示パネルPの製造時から累計したものをいう。制御部103は、表示パネルP上の画素それぞれについて表示時間の累計を記憶する。
表示率（デューティ比ともいう）とは、一画素の一フレーム中の表示可能時間の、フレーム周期に対する割合をいう。表示率は表示パネルP上の画素に対する駆動方式で実質的に決まる。例えば、パッシブマトリクス方式では実質的に1／（表示パネルの水平走査線数）と等しく、アクティブマトリクス方式では実質的に1と等しい。
【００１１】
制御部103は表示パネルPについて、画素の劣化特性表と輝度の最低維持率とを予め記憶する。ここで、画素の劣化特性表とは、画素の輝度と表示時間の累計との関係を示す表であり、表示パネルPの製造時に実験により決定される。この劣化特性表では例えば、一定の駆動電圧の印加時での輝度、又は一定の駆動電流の供給時での輝度が、表示パネルPの製造時での輝度（以下、初期輝度という）に対する相対値（以下、維持率という）で表される。
画素の劣化特性はＲＧＢごとに異なるので、表示パネルPが所定の寿命だけ動作したとき、輝度の維持率がＲＧＢごとに異なる。それらの維持率の内、最も低い維持率を最低維持率という。最低維持率は画素の劣化特性表に基づき決定される。
【００１２】
制御部103は最低維持率と画素それぞれの表示時間の累計とに基づき、ホワイトバランス調整部102に対しＲＧＢそれぞれの輝度の変更率を次のように設定する。まず、画素それぞれの表示時間の累計に対応する維持率を画素の劣化特性表から読み出す。次に、読み出された維持率に対する最低維持率の割合を計算し、その割合を輝度の変更率として決定する。
表示時間の累計の増大に伴い、維持率は最低維持率に接近する。従って、表示時間の累計が大きいほど、輝度の変更率は1に近い。すなわち、映像信号により画素に対し指定される輝度が高い。表示パネルPはその輝度に合わせ、その画素に対し印加される駆動電圧を上昇させ、又はその画素を流れる駆動電流を増大させる。その結果、その画素の劣化が補償される。
こうして、表示パネルPによる実際の表示輝度の維持率が、画素の劣化に関わらず、最低維持率に実質的に等しく揃えられ、画素の劣化によるホワイトバランスが良好に維持される。
【００１３】
上記の画素劣化補償システムでは更に、ＥＬパネルの動作温度が一定範囲内に維持されることが望ましい。ここで、ＥＬパネルの動作温度範囲の全体は、液晶パネルの動作温度範囲より高温側と低温側との両方で広い。例えば液晶が凍るほどの寒冷地でもＥＬパネルは動作可能である。一方、日光に直射され高熱に曝される車載ディスプレイとしてもＥＬパネルは十分な耐久性を持つ。しかし、ＥＬパネルでは画素の輝度と劣化とが共に動作温度に依存し、特にそれらの依存性がトレードオフの関係にある。すなわち、一定の駆動電圧の印加時、又は一定の駆動電流の導通時では、動作温度が高いほど画素の輝度は高い。しかし、画素の劣化は早い。従って、ＥＬパネルの動作温度範囲の内、十分な輝度と寿命との両方の確保という点で最適な部分は限られる。それ故、上記の画素劣化補償システムではＥＬパネルの動作温度がその最適範囲内に維持されることが望ましい。それにより、ＥＬパネルの寿命が十分に長く、かつ最低維持率が十分に高く設定され得る。
【００１４】
従来のＥＬディスプレイには、次のようにＥＬパネルの動作温度を一定範囲内に維持するものが知られる（特許文献２参照)。このＥＬディスプレイは車載ディスプレイとして自動車のダッシュボードに設置される。自動車は車室内の空気を冷却する目的でエアコンを搭載する。このシステムはそのエアコンの冷気でＥＬパネルを冷却し、その動作温度を制御する。例えばＥＬパネルはダッシュボードの裏側に設置される。ＥＬパネルの裏面近傍の空間へ、エアコンから送出される冷気が導かれる。それによりＥＬパネルが冷却される。上記のシステムは、ＥＬパネルの裏面近傍の空間へ導かれる冷気の流量を、例えばバタフライ弁で調節する。その調節は例えば、ＥＬパネルの裏面近傍の空間内の気温と所定の目標値との差に基づく。ここで、その目標値は例えば、ＥＬパネルの動作温度が上記の最適範囲内に収まるときの値に設定される。こうして、ＥＬパネルの動作温度が一定範囲内に安定に維持される。
【００１５】
【特許文献１】特開２００２−６７９６号公報
【特許文献２】特開２０００−１１２４０１号公報
【発明の開示】
【発明が解決しようとする課題】
【００１６】
従来のＥＬディスプレイは例えば上記のように一定範囲内に維持された動作温度下で、映像信号により指定される輝度を上記のように、画素の劣化に応じて高く変換する。それにより、画素に対し印加される駆動電圧を上昇させ、又は画素を流れる駆動電流を増大させ、画素の劣化を補償する。その結果、画素それぞれの実際の輝度が初期輝度の最低維持率倍程度に一定に維持される。フルカラーディスプレイでは更に、ホワイトバランスが良好に維持される。
しかし、映像信号の伝送速度は一般に高いので、その映像信号により指定される輝度の変換は高速の信号処理を要する。高速の信号処理はＥＬディスプレイの搭載機器の電子回路に対し大きな負荷を加え、消費電力を増大させる。例えば、家電機器に搭載されるＣＰＵは処理能力が比較的低いので、そのような高速の信号処理が困難であった。モバイル機器では更に、高速の信号処理による消費電力の増大が好ましくなかった。
【００１７】
本発明は、処理能力が比較的低いＣＰＵでも画素の劣化を十分に補償でき、かつその劣化補償での消費電力を小さく維持できる、ＥＬディスプレイの提供を目的とする。
【課題を解決するための手段】
【００１８】
本発明によるＥＬパネルの動作温度制御装置は；発光物質を含む発光層と、その発光層を間に挟む電極と、を有する画素、を並置したＥＬパネル；及び、外部から映像信号を受信し、その映像信号により指定される画素の輝度を解読し、その画素に対し、その輝度に対応する駆動電圧を印加し、又はその輝度に対応する駆動電流を供給するための駆動部；を具備するＥＬディスプレイ、に対しそのＥＬパネルの動作温度を制御するための装置である。この動作温度制御装置は；画素の劣化を評価し、その評価値に基づきＥＬパネルの劣化情報を決定するための劣化評価部；その劣化情報に基づき、画素の劣化が激しいほど高い目標温度を設定するための温度設定部；及び、目標温度に応じ、ＥＬパネルを加熱し又は冷却するための温度調節部；を有する。
【００１９】
本発明によるＥＬパネルの動作温度制御装置では劣化評価部が画素の劣化を評価する。温度設定部は目標温度を、その評価値の変化に合わせて上昇させる。温度調節部はその目標温度の上昇に応じ、ＥＬパネルに対する加熱能力を上げ、又はＥＬパネルに対する冷却能力を下げる。その結果、ＥＬパネルの動作温度が画素の劣化の進行と共に上昇する。
ここで、ＥＬパネル上の画素に一定の駆動電圧が印加されるとき、又は一定の駆動電流が流れるとき、その動作温度が高いほど劣化は早い。しかし、輝度は高い。
上記の動作温度制御装置によれば、一定の駆動電圧又は駆動電流に対する輝度が十分に高い初期段階ではＥＬパネルの動作温度が低く維持され、画素の劣化が抑制される。画素の劣化が進み、一定の駆動電圧又は駆動電流に対する輝度が低減するとき、動作温度が上昇する。それにより、一定の駆動電圧又は駆動電流に対する輝度が上昇し、画素の劣化が補償される。こうして、ＥＬパネルの寿命が長く維持され、かつ、ＥＬパネルによる実際の表示輝度が、画素の劣化に関わらず、高く維持される。
【００２０】
ＥＬパネルの動作温度制御は映像信号に対する処理より低速で良い。従って、処理能力が比較的低いＣＰＵでも、その動作温度制御を十分良好に実現できる。こうして、本発明による動作温度制御装置では、処理能力が比較的低いＣＰＵでも画素の劣化を十分に補償でき、かつその劣化補償での消費電力が小さく維持できる。
【００２１】
上記の本発明による動作温度制御装置では、劣化評価部が；画素の輝度、駆動電圧、又は駆動電流の少なくとも一つを計測するための画素状態計測部；及び、画素状態計測部による測定値に基づき上記の劣化情報を決定するための劣化情報決定部；を含んでも良い。更に、画素状態計測部が、画素それぞれ若しくはＥＬパネル全体の動作温度、又は環境温度を計測し、劣化情報決定部がその動作温度又は環境温度に基づき劣化情報を補正しても良い。
【００２２】
画素の輝度、駆動電圧、及び駆動電流間の対応関係はその画素の劣化に伴い変化する。更にその画素の動作温度に依存する。それらの対応関係、劣化に伴う変化、及び動作温度依存性はいずれも、予め実験により決定される。動作温度が所定範囲内にある状況下で、画素の実際の輝度、駆動電圧、又は駆動電流の少なくとも二つが計測されるとき、それらの測定値の組から上記の対応関係に基づき、その画素の劣化が評価される。
その他に、画素の輝度、駆動電圧、又は駆動電流のいずれかが所定値に維持された状態で、残り二つの内、少なくとも一つが計測され、その所定値と測定値との組からその画素の劣化が評価されても良い。
更に、その画素の実際の動作温度が併せて計測され、その測定値に基づきその画素の劣化の評価値が補正されても良い。
【００２３】
画素状態計測部は好ましくは、ＥＬパネル上の画素それぞれについて計測を行う。その他に、ＥＬパネルの表示範囲外にある画素について計測を行っても良い。
劣化情報決定部は、画素の輝度、駆動電圧、又は駆動電流の少なくとも二つの組み合わせと、その画素の劣化程度を示す評価値（例えば、初期輝度に対する輝度の維持率）との間の対応表を、好ましくは動作温度別に記憶する。その対応表に代え、上記の組み合わせから対応する評価値を求めるための数式が記憶されても良い。劣化情報決定部はその対応表又は数式から画素状態計測部による測定値の組み合わせに対応する評価値を決定する。更に、その評価値に基づきＥＬパネルの劣化情報を決定する。その劣化情報は例えば、画素全体での評価値の平均値、又は最も激しい劣化を示す評価値を含む。その他に、画素状態計測部がＥＬパネルの表示範囲外にある画素について計測を行うとき、その画素の劣化程度を示す評価値がＥＬパネルの劣化情報に含まれても良い。
こうして、劣化評価部は画素の劣化を正確に評価し、その評価値をＥＬパネルの劣化情報として外部へ提供できる。
【００２４】
上記の本発明による動作温度制御装置では、劣化評価部が上記とは別に；画素それぞれの通電時間又は通電電気量を駆動部への映像信号に基づき計算し、その通電時間又は通電電気量を画素ごとにＥＬディスプレイの製造時から累計するための通電管理部；及び、その通電時間又は通電電気量の累計に基づき上記の劣化情報を決定するための劣化情報決定部；を含んでも良い。劣化評価部は更に、画素それぞれ若しくはＥＬパネル全体の動作温度、又は環境温度を計測し、それらの温度に基づき劣化情報を補正しても良い。
【００２５】
画素の劣化はその画素の通電時間、通電電気量、及び動作温度に依存する。それらの依存性は予め実験により決定される。劣化情報決定部はそれらの依存性を好ましくは、動作温度別の通電時間−輝度特性表又は通電電気量−輝度特性表として記憶する。それらの特性表は例えば、駆動電圧又は駆動電流が一定に維持されるときの、通電時間又は通電電気量の増大と輝度の維持率の低下との関係を示す。ここで、それらの特性表に代え、上記の依存性を示す近似式が記憶されても良い。
劣化情報決定部はそれらの特性表又は近似式から、画素ごとに通電時間又は通電電気量の累計に対応する維持率を決定する。更に、画素それぞれの維持率に基づきＥＬパネルの劣化情報を決定する。その劣化情報は例えば、画素全体での維持率の平均値、又は最低値を含む。
こうして、劣化評価部は画素の劣化を正確に評価し、その評価値をＥＬパネルの劣化情報として外部へ提供できる。
【００２６】
上記の本発明による動作温度制御装置では、温度調節部が；(A)  ＥＬパネルに対しその外部から冷媒を導くための流路；及び、その流路中の冷媒の流量を調節するための流量調節部；を含んでも良い。流量調節部は好ましくは流量制御弁を含む。流量制御弁は、絞り弁でも、圧力補償機構を含む流量調整弁でも良い。冷媒が気体の場合、流量調節部は流量制御弁に代え、ファンを含んでも良い。
【００２７】
ＥＬディスプレイを搭載する機器が、例えばエアコン又は冷蔵庫のような冷却システムを含むとき、温度調節部は、そのシステムにより冷却された空気、又はそのシステム内の代替フロンを上記の冷媒として利用する。
ＥＬディスプレイを搭載する機器が、例えばパソコンのように冷却ファンを含むとき、温度調節部は、その冷却ファンから送られる空気を上記の冷媒として利用する。
その他にＥＬディスプレイを搭載する機器が液冷式の冷却システムを含むとき、温度調節部はそのシステムの冷媒液を上記の冷媒として利用しても良い。
【００２８】
更に、ＥＬディスプレイを搭載する機器が、例えば携帯電話のように特段の冷却システムを含まないとき、温度調節部がＥＬパネル専用の冷却装置として動作しても良い。例えば、流路が外気をＥＬパネルへ導くように構成され、流量調節部がファンにより外気を吸入し、ＥＬパネルに向け吹き出すようにしても良い。
【００２９】
例えば目標温度が所定の閾値より低いとき、温度調節部は流路中の冷媒の流量を大きく維持する。それにより、ＥＬパネルに対する冷却能力が十分に高く維持されるので、ＥＬパネルの動作温度が低く維持される。
目標温度が所定の閾値を超えるとき、温度調節部は流路中の冷媒の流量を、目標温度と閾値との差に応じた量だけ絞る。それにより、ＥＬパネルに対する冷却能力が低下するので、ＥＬパネルの動作温度が上昇する。
【００３０】
温度調節部は更に、ＥＬパネルの実際の動作温度を計測し、その実際の動作温度と目標温度との差に基づき、流路中の冷媒の流量を調節しても良い。それにより、ＥＬパネルの動作温度を高精度に制御できる。
【００３１】
本発明による上記の動作温度制御装置では、温度調節部が上記とは別に、ＥＬパネルを加熱するためのヒータ、を含んでも良い。
目標温度が所定の閾値より低いとき、温度調節部はヒータの発熱を遮断し、又はヒータの熱量を小さく維持する。それにより、ＥＬパネルの動作温度が低く維持される。
目標温度がその閾値を超えるとき、温度調節部はヒータを発熱させる。そのとき特にヒータの熱量を目標温度と閾値との差に応じて増大させる。それにより、ＥＬパネルが十分に加熱され、その動作温度が上昇する。
【００３２】
温度調節部は更に、ＥＬパネルの実際の動作温度を計測し、その実際の動作温度と目標温度との差に基づきヒータの熱量を調節しても良い。それにより、ＥＬパネルの動作温度を高精度に制御できる。
【発明の効果】
【００３３】
本発明によるＥＬパネルの動作温度制御装置は画素の劣化を評価し、その評価値の変化に合わせ、ＥＬパネルに対する加熱能力を上げ、又はＥＬパネルに対する冷却能力を下げる。その結果、ＥＬパネルの動作温度が画素の劣化の進行と共に上昇する。それにより、一定の駆動電圧又は駆動電流に対する輝度が十分に高い初期段階ではＥＬパネルの動作温度が低く維持され、画素の劣化が抑制される。画素の劣化が進み、一定の駆動電圧又は駆動電流に対する輝度が低減するとき、動作温度が上昇し、画素の劣化が補償される。こうして、ＥＬパネルの寿命が長く維持され、かつ、ＥＬパネルによる実際の表示輝度が、画素の劣化に関わらず、高く維持される。
【００３４】
ＥＬパネルの動作温度制御は映像信号に対する処理より低速で良い。従って、処理能力が比較的低いＣＰＵでも、その動作温度制御を十分良好に実現できる。こうして、本発明による動作温度制御装置では、処理能力が比較的低いＣＰＵでも画素の劣化を十分に補償でき、かつその劣化補償での消費電力が小さく維持できる。
【００３５】
本発明による動作温度制御装置は好ましくは、ＥＬパネル上の画素の実際の輝度、駆動電圧、又は駆動電流を計測する。更に、それらの測定値の組み合わせに対応する、その画素の劣化程度を示す評価値を、両方の間の対応関係から決定する。
本発明による動作温度制御装置はその他に、駆動部への映像信号からＥＬパネル上の画素の通電時間又は通電電気量の累計を求める。更に、ＥＬパネルの通電時間−輝度特性又は通電電気量−輝度特性から、画素ごとに通電時間又は通電電気量の累計に対応する輝度の維持率を、その画素の劣化程度を示す評価値として決定しても良い。
こうして、本発明による動作温度制御装置は画素の劣化を正確に評価できる。
【００３６】
本発明による動作温度制御装置は、ＥＬディスプレイの搭載機器に既設の冷却システムを利用し、ＥＬパネルを冷却しても良い。その他に、温度調節部をＥＬパネル専用の冷却装置として動作させても良い。更に、ヒータでＥＬパネルを加熱しても良い。こうして、本発明による動作温度制御装置はＥＬパネルの動作温度を良好に制御できる。
【発明を実施するための最良の形態】
【００３７】
以下、本発明の最適な実施の形態について、図面を参照しつつ説明する。
《実施形態１》
図1は、本発明の実施形態１によるＥＬディスプレイ、及びそのＥＬパネルの動作温度制御装置のそれぞれの構成を示すブロック図である。このＥＬディスプレイは車載ディスプレイとして、自動車のダッシュボードに設置される。ここで、自動車はエアコンACを搭載する。エアコンACはダクトDを通し、冷気Cを車室内へ排出し、車室内を冷却する。本発明の実施形態１による動作温度制御装置はエアコンACの冷気Cの一部をダクトDからＥＬパネル1へ導き、それによりＥＬパネル1を冷却し、その動作温度を制御する。
【００３８】
ＥＬパネル1は、例えばガラス製の基板上に複数の層を積み上げて構成される。それらの層には特に、発光層とその発光層を間に挟む電極とが含まれる（図示せず)。発光層と電極との間には更に、電子注入層、電子輸送層、空孔注入層、又は空孔輸送層が含まれても良い。
発光層は、例えばアルミニウム錯体（Alq3）を始めとする低分子系、又はポリフェニレンビニレン（PPV）を始めとする高分子系の有機材料を発光材料として含む。その発光材料、又はその発光材料にごく微量だけ混合されるドーパント色素の種類により、発光層の発する光の色が変化する。
【００３９】
ＥＬパネル1はエリアカラー型でもフルカラー型でも良い。
ＥＬパネル1が特にフルカラー型であるとき、好ましくは三色発光方式に従う。すなわち、発光層が赤色発光材料（Ｒ)、青色発光材料（Ｂ)、緑色発光材料（Ｇ）の三種類の発光材料を含み、それぞれが画素を構成する。ＥＬパネル1はその他に、フィルタ方式又は色変換方式に従っても良い。すなわち、発光層が、白色発光材料と三原色のカラーフィルタとの組合せ、又は青色発光材料と赤／緑色蛍光膜との組合せにより画素を構成しても良い。いずれの方式に従う場合でも、ＥＬパネル1上には三原色の画素が、例えばパネルの横方向にＲＧＢＲＧＢ…と並置される。それぞれの画素が様々な輝度で発光することにより、ＥＬパネル1はフルカラー画像を表示する。
【００４０】
発光層を間に挟む電極のうち、少なくともダッシュボードDB側の電極がＩＴＯ（インジウム−スズ−酸化物）製の透明電極である。電極の形状は駆動部2の駆動方式により異なる。
パッシブマトリクス方式では電極が複数の細長い板である。例えば、陽極の板がパネルの縦方向に平行に並び、陰極の板がパネルの横方向に平行に並ぶ。陽極と陰極とが間に発光層を挟む。そのとき、パネル前方から見て、陽極と陰極との交差点それぞれが一画素を構成する。駆動部2は画素ごとに異なる駆動電流を供給する。具体的には、駆動部2は例えば陽極及び陰極のそれぞれの板の電位を制御し、画素ごとに異なる駆動電圧を印加する。それにより、それぞれの画素を流れる駆動電流の量が調節される。
アクティブマトリクス方式では、例えば、陽極が画素と同数の薄膜片であり、陰極がパネル全体に拡がる薄膜である。陽極片のそれぞれと陰極とが間に発光層を挟み、一画素を構成する。すなわち、陽極は画素ごとに独立し、陰極は画素全体で共通である。画素はそれぞれ少なくとも二個ずつ、薄膜トランジスタ（ＴＦＴ）を含む。それらのＴＦＴはその画素に接する陽極片に接続される。駆動部2は画素内のＴＦＴのオン／オフを制御し、その画素に接する陽極片の電位を制御する。それにより、画素ごとに異なる駆動電圧を印加し、又は画素ごとに異なる駆動電流を供給する。
【００４１】
駆動部2は外部から映像信号Svを受信し、その映像信号Svにより指定される画素の輝度を解読する。ここで、映像信号Svはディジタル信号であってもアナログ信号であっても良い。例えば映像信号Svがディジタル信号であるとき、画素の輝度が例えば0〜255の256階調で表される。駆動部2は映像信号Svにより指定される輝度を、例えば対応する駆動電圧値に換算し、その値の駆動電圧をそれぞれの画素に対し印加する。駆動部2はその他に、映像信号Svにより指定される輝度を対応する駆動電流値に換算し、その値の駆動電流をそれぞれの画素に供給しても良い。
【００４２】
ＥＬパネル1はダッシュボードDBの覗き窓Wの裏側に設置される。ＥＬパネル1は覗き窓Wより広いので、車室内から覗き窓Wを通しては見えない領域（非表示領域）1A上にも画素を有する。駆動部2はその非表示領域1A上の画素に対し、外部から映像信号Svが入力される間、一定の駆動電圧を印加し、又は一定の駆動電流を供給し、その画素を発光させる。その非表示領域1Aに対向するダッシュボードDBの裏面には光センサ3が配置され、非表示領域1A上の画素の発光量を検出する。
【００４３】
ＥＬパネル1の裏面近傍には、断熱壁4が設置され、ＥＬパネル1の裏面近傍の空間Sを囲う。
温度センサ5は断熱壁4の内面に設置され、ＥＬパネル1の裏面近傍の空間S内の気温を検出する。温度センサはその他に、ＥＬパネル1上に設置され、ＥＬパネル1の温度を直接検出しても良い。
通風管6はダクトDと断熱壁4とを接続し、エアコンACから送出される冷気CをＥＬパネル1の裏面近傍の空間Sへ導く。通風管6内には流量制御弁7が設置される。流量制御弁7は好ましくはバタフライ弁であり、その弁体を冷気Cの流れ方向に対し垂直な軸の周りに回転させ、冷気Cの流れを遮る。そのときの弁体の回転角度により、冷気Cの流量を調節する。
【００４４】
動作温度制御装置は、劣化評価部、温度設定部10、及び、温度調節部に大別される。劣化評価部は画素状態計測部と劣化情報決定部9Aとを含む。画素状態計測部は、輝度計測部8A、電流計測部8B、及び温度計測部8Cを含む。温度調節部は流量制御弁7と流量調節部11とを含む。
【００４５】
輝度計測部8Aは光センサ3により検出された光量に基づき、ＥＬパネル1の非表示領域1A上の画素の輝度を計測する。
電流計測部8Bは駆動部2を通し、ＥＬパネル1の非表示領域1A上の画素を流れる駆動電流を計測する。ここで、電流計測部8Bは駆動部2から、その画素に対する駆動電圧を読み出しても良い。
温度計測部8Cは温度センサ5により検出された空間S内の気温に基づき、ＥＬパネル1の動作温度を計測する。
画素状態計測部8A、8B、及び8Cによる各測定値は、劣化情報決定部9Aへ通知される。温度計測部8Cによる測定値は更に、流量調節部11へ通知される。
【００４６】
劣化情報決定部9AはＥＬパネル1の非表示領域1A上の画素について、輝度と駆動電流との組み合わせに対応する劣化の評価値を示す表（以下、対応表という）を動作温度別に記憶する。ここで、画素の劣化の評価値としては例えば、その画素の初期輝度に対する輝度の維持率が用いられる。
その対応表は次のように決定される。
【００４７】
まず、ＥＬパネル1の製造時（すなわち初期段階）での画素の輝度、駆動電圧、及び駆動電流の間の対応関係、並びにその対応関係の動作温度依存性が実験により決定される。
図2は、ＥＬパネル1上の画素について、駆動電流密度−輝度特性を示すグラフ（a)、駆動電圧−駆動電流密度特性を示すグラフ（b)、及び動作温度−駆動電圧特性を示すグラフ（c）である。これらのグラフが実験により予め決定される。ここで、図2の（a）に示されるグラフは動作温度にはほとんど依存しない。一方、図2の（b）は一定範囲内の動作温度に対するグラフであり、図2の（c）は一定の駆動電流密度に対するグラフである。
【００４８】
次に、画素の通電時間の経過に伴う上記の対応関係の変化が、例えば加速試験により推定される。
図2の（a）及び（b）では、ＥＬパネル1の初期段階での特性が実線で示され、通電時間がある程度経過した段階での特性が破線で示される。図2の（a）及び（b）に矢印で示されるように、通電時間の経過と共に、一定の駆動電流密度に対する輝度は低減し、一定の駆動電圧に対する駆動電流密度は低減する。図2の（a）と（b）との組み合わせは更に、一定の駆動電圧に対する輝度が通電時間の経過と共に低減することを示す。
【００４９】
これらの対応関係の変化から上記の対応表が作成される。一般には更に、図2の（c）に基づき、上記の対応表が動作温度別に複数作成される。ここで、駆動電流密度−輝度特性は動作温度にはほとんど依存しないので、その特性については対応表が一つであっても良い。更に、上記の対応表に代え、輝度と駆動電流との組み合わせから輝度の維持率を求めるための数式が作成されても良い。
劣化情報決定部9Aはその対応表又は数式から、輝度と駆動電流との組み合わせに対応する輝度の維持率を決定する。更にその維持率をＥＬパネル1の劣化情報として決定する。
【００５０】
温度設定部10は、劣化情報決定部9AからＥＬパネル1の劣化情報を読み出し、その劣化情報に基づき目標温度を決定し、その目標温度を流量調節部11に対し設定する。ここで、温度設定部10は輝度の維持率と目標温度との間の変換表を予め記憶する。温度設定部10は劣化情報から維持率を解読し、その変換表からその維持率に対応する温度を読み出し、その温度を目標温度として決定する。
【００５１】
その変換表では、所定の閾値（例えば0.80）より高い維持率に対応する初期の目標温度として、画素の劣化を十分に抑制できる程度に低いＥＬパネル1の動作温度（例えば20℃）が設定される。更に、その閾値より低い維持率に対応する目標温度として、その閾値と維持率との差に応じた幅だけ初期の目標温度より高い温度が設定される。例えば、閾値と維持率との差が0.10だけ増大するごとに目標温度が10℃だけ高く設定される。
こうして、画素の劣化が激しいほど、温度設定部10により決定される目標温度は高い。
【００５２】
流量調節部11は次のように、目標温度に基づき流量制御弁7に対する制御量（例えば、弁体の回転角度）を設定し、通風管6内の冷気Cの流量を調節する。
目標温度が所定の閾値より低いとき、流量調節部11は流量制御弁7を全開し、通風管6中の冷気Cの流量を最大値に維持する。それにより、ＥＬパネル1に対する冷却能力が最高値に維持されるので、ＥＬパネル1の実際の動作温度が初期の目標温度程度に低く維持される。
目標温度がその閾値を超えるとき、流量調節部11は流量制御弁7により通風管6中の冷気Cの流量を、目標温度とその閾値との差に応じた量だけ絞る。それにより、ＥＬパネル1に対する冷却能力が低下するので、ＥＬパネル1の動作温度が上昇する。
【００５３】
上記の通り、画素の劣化が激しいほど温度設定部10により決定される目標温度は高い。従って、画素の劣化が激しいほど、流量調節部11は通風管6内の冷気Cの流量を絞り、ＥＬパネル1に対する冷却能力を下げる。その結果、画素の劣化が激しいほど、ＥＬパネル1の動作温度が上昇する。
図2の（c）に示される通り、ＥＬパネル1の動作温度が上昇するとき、一定の駆動電流密度に対する駆動電圧は降下する。すなわち、一定の駆動電圧に対する駆動電流密度は上昇する。図2の（a）に示される駆動電流密度−輝度特性は動作温度には依存しないので、駆動電流密度の上昇は輝度の上昇を意味する。こうして、ＥＬパネル1の動作温度の上昇は画素の劣化を補償する。
【００５４】
流量調節部11は更に、温度計測部8Cから通知されたＥＬパネル1の実際の動作温度と目標温度との差を計算する。その差に基づき、流量制御弁7に対する制御量を微調整し、通風管6中の冷気Cの流量を高精度に調節する。それにより、ＥＬパネル1の動作温度を高精度に制御できる。
【００５５】
本発明の実施形態１による動作温度制御装置は、一定の駆動電流に対する輝度が十分に高い初期段階ではＥＬパネル1に対する冷却能力を高く維持する。それによりＥＬパネル1の動作温度を低く維持し、画素の劣化を抑制する。画素の劣化が進むとき、一定の駆動電流に対する輝度の低下に合わせ、ＥＬパネル1に対する冷却能力を下げる。それによりＥＬパネル1の動作温度が上昇し、一定の駆動電流に対する輝度が上昇するので、画素の劣化が補償される。こうして、ＥＬパネル1の寿命が長く維持され、かつ、ＥＬパネル1による実際の表示輝度が、画素の劣化に関わらず、高く維持される。
【００５６】
通風管6内の冷気Cに対する流量調節によるＥＬパネル1の動作温度制御は応答速度が低い。従って、本発明の実施形態１による動作温度制御装置の制御処理は低速で良いので、処理能力が比較的低いＣＰＵでもその動作温度制御を十分良好に実現できる。すなわち、処理能力が比較的低いＣＰＵでも画素の劣化を十分に補償でき、かつその劣化補償での消費電力が小さく維持できる。
【００５７】
本発明の実施形態１による動作温度制御装置は、車載ディスプレイであるＥＬパネル1に対し利用される。その他に、例えばエアコン又は冷蔵庫等、冷気を排出できる家電機器に搭載されるＥＬパネルに対し利用されても良い。更に、例えばパソコン等、内部の環境温度が外気の温度より高い機器に搭載されるＥＬパネルに対し利用されても良い。そのとき、エアコンACに代えパソコン等の冷却ファンが利用され、冷気Cに代え外気が利用される。
【００５８】
本発明の実施形態１による動作温度制御装置では、ＥＬパネル1の非表示領域1A上の画素について、画素状態計測部がその輝度と駆動電流とを計測し、劣化情報決定部9Aがその輝度と駆動電流とから輝度の維持率を求める。更に、その維持率でＥＬパネル1の劣化を評価する。
その他に、ＥＬパネル1上の画素（表示領域上か、非表示領域上かは問わない）について、画素状態計測部が駆動部2からその駆動電圧と駆動電流とを読み出し、劣化情報決定部9Aがその駆動電圧と駆動電流とから輝度の維持率を求めても良い。そのとき、駆動電圧又は駆動電流のいずれか一方が所定値に維持され、他方が実際に計測され、その所定値と測定値との組から維持率が決定されても良い。更に、ＥＬパネル1の動作温度に基づき、その維持率が補正されても良い。その上、ＥＬパネル1上の画素全体での維持率の平均値又は最低値で、ＥＬパネル1の劣化が評価されても良い。
【００５９】
《実施形態２》
図3は、本発明の実施形態２によるＥＬディスプレイ、及びそのＥＬパネルの動作温度制御装置のそれぞれの構成を示すブロック図である。このＥＬディスプレイは実施形態１によるものと同様な構成を含む。従って、図3ではそれら同様な構成要素に対し図1と同じ符号を付す。更に、それら同様な構成要素の説明は実施形態１でのものを援用する。
【００６０】
本発明の実施形態２によるＥＬディスプレイは例えば携帯電話等のモバイル機器に搭載される。ここで、ＥＬパネル1は好ましくはフルカラー型である。
本発明の実施形態２による動作温度制御装置はヒータ13でＥＬパネル1を加熱し、その動作温度を制御する。
【００６１】
動作温度制御装置は、劣化評価部、温度設定部10、及び温度調節部に大別される。劣化評価部は温度計測部8C、通電管理部12、及び劣化情報決定部9Bを含む。温度調節部はヒータ13と熱量調節部14とを含む。
【００６２】
劣化評価部は、駆動部2へ入力される映像信号Svに基づきＥＬパネル1上のＲＧＢそれぞれの画素の通電時間又は通電電気量を累計し、その累計値に対応する輝度の維持率でそれぞれの画素の劣化を評価する。更に、ＲＧＢの画素全体での維持率の最低値をＥＬパネル1の劣化情報として決定する。
【００６３】
通電管理部12は駆動部2への映像信号Svを監視する。それにより、ＥＬパネル1の画素それぞれの通電時間及び通電電気量を、例えば映像信号Svの一フレームごとに計算する。
一フレームでの画素の通電時間は例えば、その一フレームの映像信号Svにより指定されるその画素の輝度が0であれば0であり、その画素の輝度が0より大きければ（フレーム周期）×（ＥＬパネル1のデューティ比）で計算される。ここで、デューティ比とは、一フレーム中の画素一つの動作時間の、一フレーム周期に対する割合をいう。デューティ比は、パッシブマトリクス方式では実質的に1／（ＥＬパネル1の水平走査線数）と等しく、アクティブマトリクス方式では、実質的に1と等しい。
【００６４】
一フレームでの画素の通電電気量は、例えば次のように算定される。まず、そのフレームの映像信号Svからその画素の輝度を解読し、その輝度に対応する駆動電流を計算する。ここで、輝度と駆動電流との関係はＲＧＢの画素ごとに予め実験で決定され（図2の（a）参照)、その関係を示す表又は近似式が通電管理部12により記憶される。次に、その駆動電流とそのフレームでのその画素の通電時間との積を計算し、その積をそのフレームでのその画素の通電電気量として決定する。
【００６５】
通電管理部12は更に、ＥＬパネル1の画素それぞれの通電時間又は通電電気量をＥＬディスプレイの製造時から累計し、画素ごとの累計値を記憶する。通電管理部12は例えば、駆動部2への映像信号Svのフレームごとに、画素それぞれについて上記の累計値を更新する。ここで、上記の累計及びその累計値の記憶はフレームの代表的な部分上の画素に対してのみ、行われても良い。
【００６６】
例えば駆動部2への映像信号Svのフレームが所定数（例えば200万フレーム）を超えるごとに、劣化情報決定部9Bは通電管理部12から上記の通電時間又は通電電気量の累積値Cuを受け取る。更に、受け取った累積値Cuのそれぞれに対応する輝度の維持率を次のように決定する。
劣化情報決定部9Bは通電時間−輝度特性表又は通電電気量−輝度特性表を記憶する。ここで、それらの特性表に代え、通電時間又は通電電気量に対する劣化の依存性を示す近似式が記憶されても良い。劣化情報決定部9Bはそれらの特性表又は近似式から、画素ごとの通電時間又は通電電気量の累積値Cuに対応する輝度の維持率を決定する。
【００６７】
図4は、ＥＬパネル1上の画素について通電時間−輝度特性を示すグラフである。図4の横軸は、ＥＬパネル1の製造時からの通電時間の累計を示す。図4の縦軸は輝度の維持率、すなわち初期輝度に対する実際の輝度の相対値を示す。ＥＬパネル1では特に、画素の劣化特性がＲＧＢ間で大きく異なる。図4では、ＲＧＢそれぞれの劣化特性が実線、破線、一点鎖線でそれぞれ示される。
劣化情報決定部9Bにより記憶される特性表又は近似式は、図4に示される通電時間−輝度特性又は通電電気量−輝度特性に基づき決定される。ここで、それらの特性は画素の動作温度に依存する。一般に、動作温度が高いほど、維持率は早く減衰する。従って、劣化情報決定部9Bは、上記の特性表又は近似式を動作温度別に複数記憶する。劣化情報決定部9Bは、温度計測部8Cから通知されるＥＬパネル1の動作温度に応じ、適正な特性表又は近似式を選択する。
【００６８】
劣化情報決定部9BはＥＬパネル1上の画素それぞれについて輝度の維持率を決定し、更に、画素全体での最低値（最低維持率）を求める。その上で、その最低維持率をＥＬパネル1の劣化情報として設定する。
【００６９】
ヒータ13は、ＥＬパネル1の裏面近傍に設置され、ＥＬパネル1を実質的に一様に加熱する。
熱量調節部14は、温度設定部10により設定された目標温度に基づきヒータ13を流れる電流を次のように制御し、ヒータ13からＥＬパネル1へ放出される熱量を調節する。
目標温度が所定の閾値より低いとき、熱量調節部14はヒータ13の電流を遮断する。それにより、ＥＬパネル1の動作温度が低く維持される。
目標温度がその閾値を超えるとき、熱量調節部14はヒータ13へ電力を供給し、ヒータ13を発熱させる。そのとき、その電流量を、目標温度とその閾値との差に応じて調節する。それにより、ヒータ13からＥＬパネル1へ放出される熱量を調節し、ＥＬパネル1の動作温度を適切な値まで上昇させる。
【００７０】
実施形態１と同様、画素の劣化が激しいほど温度設定部10により決定される目標温度は高い。従って、画素の劣化が激しいほど熱量調節部14はヒータ13の熱量を増大させる。その結果、画素の劣化が激しいほどＥＬパネル1の動作温度が上昇する。
図2の（c）に示される通り、ＥＬパネル1の動作温度が上昇するとき、一定の駆動電流密度に対する駆動電圧は降下する。すなわち、一定の駆動電圧に対する駆動電流密度は上昇する。図2の（a）に示される駆動電流密度−輝度特性は動作温度には依存しないので、駆動電流密度の上昇は輝度の上昇を意味する。こうして、ＥＬパネル1の動作温度の上昇は画素の劣化を補償する。
【００７１】
熱量調節部14は更に、温度計測部8Cから通知されたＥＬパネル1の実際の動作温度と目標温度との差を計算する。その差に基づき、ヒータ13の熱量を高精度に調節する。それによりＥＬパネル1の動作温度を高精度に制御できる。
【００７２】
本発明の実施形態２による動作温度制御装置は、通電時間又は通電電気量の累計が小さい初期段階では、ヒータ13による加熱を停止し、又はヒータ13の熱量を小さく維持する。それによりＥＬパネル1の動作温度を低く維持し、画素の劣化を抑制する。更に、通電時間又は通電電気量の累計の増大に合わせ、ヒータ13の熱量を増大させる。それによりＥＬパネル1の動作温度を上昇させ、一定の駆動電圧に対する輝度の上昇により画素の劣化を補償する。こうして、ＥＬパネル1の寿命が長く維持され、かつ、ＥＬパネル1による実際の表示輝度が、画素の劣化に関わらず、高く維持される。
【００７３】
ヒータ13の熱量調節によるＥＬパネル1の動作温度制御は応答速度が低い。従って、本発明の実施形態２による動作温度制御装置の制御処理は低速で良いので、処理能力が比較的低いＣＰＵでもその動作温度制御を十分良好に実現できる。すなわち、処理能力が比較的低いＣＰＵでも、画素の劣化を十分に補償でき、かつその劣化補償での消費電力が小さく維持できる。
【００７４】
本発明の実施形態２による動作温度制御装置は、モバイル機器に搭載されるＥＬパネル1に対し利用される。その他に、家電機器等、内部の環境温度が外気の温度程度に維持される機器に搭載されるＥＬパネルに対し利用されても良い。
【００７５】
本発明の実施形態２による動作温度制御装置では、劣化情報決定部9Bが映像信号Svに基づき、ＥＬパネル1上の画素それぞれについて通電時間又は通電電気量の累計を求め、その累計値に対応する輝度の維持率を求める。更に、ＥＬパネル1上の画素全体での最低維持率でＥＬパネル1の劣化を評価する。
その他に、映像信号Svが駆動部2へ入力されるごとに、実施形態１と同様に、ＥＬパネル1の非表示領域1A上の画素について、劣化情報決定部がその通電時間又は通電電気量の累計を求め、その累計値に対応する輝度の維持率を求めても良い。更に、その維持率でＥＬパネル1の劣化を評価しても良い。
【産業上の利用可能性】
【００７６】
本発明によるＥＬディスプレイ、特にそのＥＬパネルの動作温度制御装置は、ＥＬパネル上の画素の劣化に応じ、ＥＬパネルの動作温度を制御する。従って、処理能力が比較的低いＣＰＵでも画素の劣化を十分に補償でき、かつその劣化補償での消費電力を小さく維持できる。それ故、本発明によるＥＬディスプレイ、特にそのＥＬパネルの動作温度制御装置は産業上の利用可能性が高い。
【図面の簡単な説明】
【００７７】
【図１】本発明の実施形態１によるＥＬディスプレイ、及びそのＥＬパネルの動作温度制御装置のそれぞれの構成を示すブロック図である。
【図２】本発明の実施形態１によるＥＬパネル1上の画素について、駆動電流密度−輝度特性を示すグラフ（a)、駆動電圧−駆動電流密度特性を示すグラフ（b)、及び動作温度−駆動電圧特性を示すグラフ（c）である。
【図３】本発明の実施形態２によるＥＬディスプレイ、及びそのＥＬパネルの動作温度制御装置のそれぞれの構成を示すブロック図である。
【図４】本発明の実施形態２によるＥＬパネル1上の画素について、通電時間−輝度特性を示すグラフである。
【図５】従来のフルカラーディスプレイの画素劣化補償システムを示すブロック図である。
【符号の説明】
【００７８】
1   ＥＬパネル
1A  ＥＬパネル1上の非表示領域
2   駆動部
3   光センサ
4   断熱壁
5   温度センサ
6   通風管
7   流量制御弁
C   エアコンACから排出される冷気
D   ダクト
DB  ダッシュボード
S   ＥＬパネル1の裏面近傍の空間
Sv  駆動部2への映像信号
W   覗き窓
【図１】
2005038760.tif 000003
【図２】
2005038760.tif 000004
【図３】
2005038760.tif 000005
【図４】
2005038760.tif 000006
【図５】
2005038760.tif 000007